(57)【要約】【課題】  本発明は、ユーザがスマートフォン等の操作中に、無意識に運搬装置から手を離しても、運搬装置が勝手に動き出すことを回避することができる。【解決手段】  本発明における運搬装置は、人が押して人又は物を運搬するための車輪付き運搬装置であって、前記運搬装置の近傍に配置され、ＡＰを起動すると起動信号を生成する端末から、前記起動信号を受信すると前記車輪をロックする制御手段と、を備える。【選択図】      図１
2014019337.tif 000002
【特許請求の範囲】
【請求項１】
人が押して人又は物を運搬するための車輪付きの運搬装置であって、
前記運搬装置の近傍に配置され、ＡＰを起動すると起動信号を生成する端末から、前記起動信号を受信すると前記車輪をロックする制御手段を備えることを特徴とする運搬装置。
【請求項２】
端末取付け手段をさらに備え、前記端末は前記起動信号を赤外線で送信し、前記取付け手段は、取付けられた前記端末の赤外線送信部と対向する位置に赤外線受信部を備え、受信した前記起動信号を電気信号に変換して前記制御手段に送信する
ことを特徴とする請求項１記載の運搬装置。
【請求項３】
前記端末と前記制御手段は、前記起動信号を有線通信で送受信することを特徴とする請求項１記載の運搬装置。
【請求項４】
前記端末と前記制御手段は、前記起動信号を無線通信で送受信することを特徴とする請求項１記載の運搬装置。
【請求項５】
請求項１乃至４のいずれかの運搬装置と前記端末を包含することを特徴とする運搬システム。
【請求項６】
端末から、前記端末のアプリケーションが起動されたことを示す起動信号を受信し、車輪付き運搬装置の前記車輪をロックすることを特徴とする運搬方法。
【請求項７】
前記起動信号は、赤外線通信により送受信されることを特徴とする請求項６記載の運搬方法。
【請求項８】
前記起動信号は、有線通信により送受信されることを特徴とする請求項６記載の運搬方法。
【請求項９】
前記起動信号は、無線通信により送受信されることを特徴とする請求項６記載の運搬方法。
【発明の詳細な説明】
【技術分野】
【０００１】
本発明は、ユーザがスマートフォン等の操作中に、無意識に運搬装置から手を離しても、運搬装置が勝手に動き出すことを回避する装置に関する。
【背景技術】
【０００２】
特許文献１には、ブレーキロックされている場合、二輪車の前後方向の加速度を検出する加速度センサによって所定の勾配以上の傾斜路に二輪車が停止していることを検出すると、二輪車の後輪のブレーキ圧を増圧し、二輪車の転動を防止する電子制御式ブレーキシステムが開示されている。
【０００３】
特許文献２には、監視対象者を運搬する運搬装置にカメラを取り付け、監視対象者を撮像しモニタに表示することで、監視者が随時監視対象者の状態を把握することができる監視装置が開示されている。
【先行技術文献】
【特許文献】
【０００４】
【特許文献１】特表２００９−５３９６８９号公報
【特許文献２】特開２００３−９２７４７号公報
【発明の概要】
【発明が解決しようとする課題】
【０００５】
特許文献１には次のような課題がある。ユーザがブレーキロックをしないまま、二輪車から手を離すと、二輪車が勝手に動き出してしまう。
【０００６】
また、特許文献２には次のような課題がある。つまり、監視者は監視対象者を監視することはできるが、運搬装置から手を離した際に運搬装置が勝手に動き出してしまう。
【０００７】
そこで、本発明は、上記課題を解決するためになされたものであり、ユーザがスマートフォン等の操作中に、無意識に運搬装置から手を離しても、運搬装置が勝手に動き出すことを回避することを目的とする。
【課題を解決するための手段】
【０００８】
かかる目的を達成するため、本発明の運搬装置は、人が押して人又は物を運搬するための車輪付きの運搬装置であって、前記運搬装置の近傍に配置され、ＡＰを起動すると起動信号を生成する端末から、前記起動信号を受信すると前記車輪をロックする制御手段を備える。
【０００９】
また、本発明は、端末から、前記端末のアプリケーションが起動されたことを示す起動信号を受信し、車輪付き運搬装置の前記車輪をロックすることを特徴とする運搬方法を提供する。
【発明の効果】
【００１０】
ユーザがスマートフォン等の操作中に、無意識に運搬装置から手を離しても、運搬装置が勝手に動き出すことを回避することができる。
【図面の簡単な説明】
【００１１】
【図１】図１は、本発明の第１の実施形態における運搬システム３００の構成図である。
【図２】図２は、本発明の第１の実施形態における運搬装置１００と端末２００の詳細な構成図である。
【図３】図３は、本発明の第１の実施形態における端末取付け部１０１の構成図である。
【図４】図４は、本発明におけるＡＰ実行部２４０と起動・停止信号送信部２５０の動作手順を示す図である。
【図５】図５は、本発明におけるロック制御部１１２の動作手順を示す図である。
【図６】図６は、本発明の第２の実施形態における運搬装置１００と端末２００の構成を示すブロック図である。
【発明を実施するための形態】
【００１２】
＜第１の実施形態＞
以下、図面を参照して本発明の運搬装置１００の実施形態を説明する。
ただし、以下の実施形態に記載されている構成要素はあくまでも例示であり、本発明の技術的範囲をそれらのみに限定する趣旨のものではない。
【００１３】
図１は、本発明における運搬装置１００と、そのハンドル部分に取付けられた端末２００の構成図である。本発明における運搬装置１００は、端末取付け部１０１、制御部１０２、車輪１０３を備えたベビーカーや台車等である。
【００１４】
図２は、運搬装置１００と端末２００の詳細な構成図である。
【００１５】
端末２００は、ＡＰ記憶部２２０、操作部２３０、ＡＰ実行部２４０、起動・停止信号送信部２５０、さらに一般的な携帯端末が有する他の機能を実行する部分を備える。端末２００は、携帯電話、スマートフォン、ＰＨＳ（Personal Handy-phone System）、ＰＤＡ（Personal Digital Assistant）等である。
【００１６】
ＡＰ記憶部２２０は、ＡＰ（Application Program）を格納し、ＲＯＭ（Read Only Memory）、ＲＡＭ（Random Access Memory）、ハードディスク等で構成される。
【００１７】
操作部２３０は、タッチパネル等であってユーザの操作入力を受け付ける。ユーザがディスプレイ上のアイコンを押下すること等により、ＡＰの起動を指示すると、操作部２３０は、ＡＰの識別情報を含む起動指示を出力する。
【００１８】
ＡＰ実行部２４０は、操作部２３０から起動指示を受付けると、ＡＰ記憶部２２０から該当するＡＰの読み出しを行う。さらに、ＡＰ実行部２４０は、ＡＰ記憶部２２０から読み出したＡＰを起動させ、その際にＡＰ起動信号を起動・停止信号送信部２５０へ送信する。
【００１９】
起動・停止信号送信部２５０は、ＡＰ実行部２４０からＡＰ起動信号を受信すると、ＩｒＤＡ規格（Infrared Data Association）を用いてそのＡＰ起動信号に対応する赤外線信号に変換し、制御部１０２に送信する。赤外線通信は、ＩｒＤＡが策定したＩｒＤＡ  ＤＡＴＡという規格を採用している。ＩｒＤＡ規格は、一般的に携帯電話に広く採用されている規格である。なお、他の通信形式や通信規格が用いられても良い。
【００２０】
端末取付け部１０１は、端末取付けキット１１１、起動・停止信号受信部１２１を備える。端末取付けキット１１１は、端末２００を取付けるキットである。図３に示すように、端末２００は、端末取付けキット１１１にはめ込まれている。さらに、端末２００の起動・停止信号送信部２５０と、端末取付け部１０１の起動・停止信号受信部１２１の間で赤外線通信を行う部分は互いに対向した位置関係をとなる。
【００２１】
起動信号受信部１２１は、端末２００の起動・停止信号送信部２５０から端末２００のＡＰの起動または停止を示す信号に対応する赤外線信号を受信して、それを電気信号に変えて制御部１０２へ送信する。
【００２２】
制御部１０２は、ロック制御部１１２、モータ１２２を備える。ロック制御部１１２は、
起動・停止信号受信部１２１から送られてきた信号に応じて、モータ１２２を動かして車輪１０３のロック、アンロックを行う。
【００２３】
（運搬装置１００の動作について）
図４乃至５を用いて、本実施形態における運搬装置１００の動作手順を説明する。
図４は、ＡＰ実行部２４０と起動・停止信号送信部２５０の動作手順を示す図である。
【００２４】
ＡＰ実行部２４０は、操作部２３０から起動指示を受け付けると(ステップＳ１)、ＡＰ記憶部２２０から起動させるＡＰの読み出しを行う（ステップＳ２）。次に、ＡＰ実行部２４０は、読み出したＡＰを起動させる（ステップＳ３）とともに、ＡＰが起動したことを示す起動信号を生成する。続いて、ＡＰ実行部２４０は、生成した起動信号を起動・停止信号送信部２５０に送信する（ステップＳ４）。
【００２５】
起動・停止信号送信部２５０では、ＡＰ実行部２４０から起動信号を受信すると、その信号に対応する赤外線信号を生成し、起動・停止信号受信部１２１へ送信する（ステップＳ５）。
【００２６】
起動・停止信号受信部１２１は、受信した赤外線信号を電気信号に変換してロック制御部１１２に送信する。
【００２７】
図５は、ロック制御部１１２の動作手順を示す図である。ロック制御部１１２は、起動・停止信号受信部１２１から赤外線信号を受信する（ステップＳ１１）と、モータ１２２を駆動して、車輪１０３をロックする（ステップＳ１２）。
【００２８】
次に、ユーザが端末２００のＡＰを停止させ、車輪１０３のロックが解除されるまでの動作手順を説明する。
【００２９】
ＡＰ実行部２４０は、操作部２３０から停止指示を受付けると、起動していたＡＰを停止させるとともに、ＡＰが停止したことを示すＡＰ停止信号を生成する。続いて、ＡＰ実行部２４０は、生成したＡＰ起動信号を起動・停止信号送信部２５０に送信する。
【００３０】
起動・停止信号送信部２５０では、ＡＰ実行部２４０からＡＰ停止信号を受信すると、そのＡＰ停止信号に対応する赤外線を生成し、起動・停止信号受信部１２１へ送信する。
【００３１】
起動・停止信号受信部１２１で受信した赤外線信号は電気信号に変換されて、ロック制御部１１２に送信される。
【００３２】
ロック制御部１１２では、起動・停止信号受信部１２１から赤外線信号を受信すると、モータ１２２を駆動して車輪１０３のロックを解除する。
【００３３】
続いて、本実施形態における運搬装置１００の使用形態について説明する。
ユーザが、運搬装置１００の端末取付けキット１１１に端末２００を取付け、アプリケーションを起動すると、端末２００の表示部２１０はバックミラーとなり、車輪１０３はロックされる。車輪１０３がロックされている状態では、端末２００の機能はすべて使用可能な状態である。
【００３４】
このとき端末２００を端末取付けキット１１１から取り外すと、車輪１０３のロックは解除される。続いて、端末２００のボタン１１を押下すると、制御部１０２からモータ１２２へ、後輪にかけていた負荷を解除するように指示し、後輪のロックが解除され運搬装置１００を動かすことができる。なお、運搬装置１００が走行している状態では、端末２００はドライブモードに設定される。ドライブモードとは、端末２００に着信があっても、端末２００を所持するユーザがその着信に応答できないことを知らせるモードのことである。ドライブモード設定中は、端末２００への発信者に対し、「ただ今、運転中につき、電話にでることができません」というアナウンスを行うことができる。
【００３５】
また、運搬装置１００の車輪１０３のロックが解除されている状態では、端末２００のあらゆる機能が使用できなくなる。また、運搬装置１００の運転中には、端末２００の表示部２１０はバックミラーの代わりとなるため、後方にも注意を払いながら運転することができる。
【００３６】
なお、上記例では、起動・停止信号送信部２５０と起動・停止信号受信部１２１の間で赤外線通信を用いた通信方法について説明を行ったが、本発明における通信方法はこれに限定されず、例えば、通信ケーブル、あるいはWi-Fi（登録商標）、Bluetooth（登録商標）等の無線通信方法を用いてもよい。
【００３７】
なお、例えばWi-Fi（登録商標）を利用した通信を行う場合には、端末２００は端末取付け部１０１に固定する必要はなく、ユーザが端末を手に持ったまま通信を行っても良い。この場合、端末取付けキット１１１は不要となり、また、起動・停止信号受信部１２１は制御部１０２が備えていても良い。
【００３８】
本実施形態における運搬装置では、ユーザがスマートフォン等の操作中に、無意識に運搬装置から手を離しても、運搬装置が勝手に動き出すことを回避することができる。その理由は、ユーザが端末２００のＡＰを起動すると、その起動信号が制御部１０２に送信され、制御部１０２が車輪１０３を自動的にロックするためである。
＜第２の実施形態＞
図６は、本発明の第２の実施形態における運搬装置１００の構成を示すブロック図である。本実施形態における運搬装置１００は、人又は物を運搬するための車輪１０３付きの装置であり、端末２００から起動信号を受信すると、車輪１０３をロックする制御部１０２を備える。また、端末２００の構成、及びその機能については第１の実施形態と同様のため、ここでは説明を省略する。端末２００は、運搬装置１００の近傍に配置され、ＡＰを起動すると起動信号を生成する。
【００３９】
本実施形態における運搬装置では、ユーザがスマートフォン等の操作中に、無意識に運搬装置から手を離しても、運搬装置が勝手に動き出すことを回避することができる。その理由は、ユーザが端末２００のＡＰを起動すると、その起動信号が制御部１０２に送信され、制御部１０２が車輪１０３を自動的にロックするためである。
【００４０】
以上、実施形態を参照して本願発明を説明してきたが、本願発明は、上記実施形態に限定されるものではない。本願発明の構成や詳細には、本願発明のスコープ内で当業者が理解し得る様々な変更をすることができる。
【符号の説明】
【００４１】
１００    運搬装置
１０１    端末取付け部
１１１    端末取付けキット
１２１    起動信号受信部
１０２    制御部
１１２    ロック制御部
１２２    モータ
１０３    車輪
２００    端末
２２０    ＡＰ記憶部
２３０    操作部
２４０    ＡＰ実行部
２５０    起動・停止信号送信部
【図１】
2014019337.tif 000003
【図２】
2014019337.tif 000004
【図３】
2014019337.tif 000005
【図４】
2014019337.tif 000006
【図５】
2014019337.tif 000007
【図６】
2014019337.tif 000008